(57)【要約】【課題】カメラ付き携帯装置で撮影した画像データを非接触で非接触ＩＣカードに格納できるようにする。【解決手段】カメラ付き携帯電話１０には、カードリーダ／ライタ２２及びカード装着部２４が設けられている。一方、非接触ＩＣカード１００には、画像データの記録が可能な大容量の内蔵メモリが設けられている。カメラ付き携帯電話１０は、カードリーダ／ライタ２２を介してカード装着部２４に装着された非接触ＩＣカード１００と無線通信し、撮影した画像データを非接触で非接触ＩＣカード１００に転送する。【選択図】  図１
2007079845.tif 000002
【特許請求の範囲】
【請求項１】
非接触ＩＣカード用のＩＣチップと、
前記ＩＣチップへの電力供給及びデータの読み書き用のアンテナと、
画像データの記録が可能な大容量の内蔵メモリと、を備え、
前記ＩＣチップは、外部機器から無線送信される画像データを前記アンテナを介して受信し、該画像データを前記内蔵メモリに記録するとともに、前記内蔵メモリに記録された画像データを前記アンテナを介して外部機器に無線送信することを特徴とする非接触ＩＣカード。
【請求項２】
前記ＩＣチップに電力を供給する充電可能なバッテリーと、前記アンテナを介して供給された電力に基づいて前記バッテリーを充電する充電手段とを更に備えたことを特徴とする請求項１記載の非接触ＩＣカード。
【請求項３】
請求項１又は２に記載の非接触ＩＣカードが着脱自在に装着されるカード装着部であって、前記非接触ＩＣカードが略外装面上に配置されるように装着されるカード装着部と、
前記カード装着部に装着された前記非接触ＩＣカードと無線通信して画像データの書き込み又は読み書きを行うカードライタ又はカードリーダ／ライタと、
を備えたことを特徴とするカメラ付き携帯装置。
【請求項４】
前記カード装着部に前記カードライタ又はカードリーダ／ライタの通信感度のよい箇所を示すマークが付されていることを特徴とする請求項３に記載のカメラ付き携帯装置。
【請求項５】
相互に折り畳み、スライド、又は回転するように連結された２つの外装体から構成されていることを特徴とする請求項３又は４に記載のカメラ付き携帯装置。
【請求項６】
請求項３乃至５のいずれかに記載のカメラ付き携帯装置が装着されるカメラ装着部であって、前記非接触ＩＣカードが装着面側となるように前記カメラ付き携帯装置が着脱自在に装着されるカメラ装着部と、
前記装着されたカメラ付き携帯装置を充電する充電手段と、
前記カメラ装着部に装着されたカメラ付き携帯装置の前記カード装着部に装着された非接触ＩＣカードと無線通信して画像データの読み込み又は読み書きを行うカードリーダ又はカードリーダ／ライタと、
を備えたことを特徴とするクレードル装置。
【請求項７】
カメラ付き携帯装置が装着されるカメラ装着部と、
前記カメラ装着部に装着されたカメラ付き携帯装置を充電する充電手段と、
請求項１又は２に記載の非接触ＩＣカードが着脱自在に装着されるカード装着部と、
前記カード装着部に装着された非接触ＩＣカードと無線通信して画像データの読み込み又は読み書きを行うカードリーダ又はカードリーダ／ライタと、
を備えたことを特徴とするクレードル装置。
【請求項８】
前記カード装着部に前記カードリーダ又はカードリーダ／ライタの通信感度のよい箇所を示すマークが付されていることを特徴とする請求項７に記載のクレードル装置。
【請求項９】
画像データの記録が可能な大容量の内蔵メモリと、前記カードリーダ又はカードリーダ／ライタが読み込んだ画像データを前記内蔵メモリに記録する記録手段と、を更に備えたことを特徴とする請求項６乃至８のいずれかに記載のクレードル装置。
【請求項１０】
請求項１又は２に記載の非接触ＩＣカードと、請求項３乃至５のいずれかに記載のカメラ付き携帯装置とからなるカメラシステムであって、
前記カメラ付き携帯装置は、画像データを記憶保持する内部メモリと、前記画像データの転送先の非接触ＩＣカードを検知する検知手段と、前記検知手段によって転送先の非接触ＩＣカードが検知されたときのみ、前記内部メモリに記憶保持した画像データを前記非接触ＩＣカードに転送する制御手段と、を備えたことを特徴とするカメラシステム。
【請求項１１】
前記制御手段は、前記検知手段によって転送先の非接触ＩＣカードが検知され、かつ該非接触ＩＣカードにメモリ残量があるときのみ、前記内部メモリに記憶保持した画像データを前記非接触ＩＣカードに転送することを特徴とする請求項１０に記載のカメラシステム。
【請求項１２】
前記制御手段は、前記画像データの転送終了後の前記内部メモリに記憶保持した画像データを消去することを特徴とする請求項１０又は１１に記載のカメラシステム。
【請求項１３】
前記内部メモリに記憶されている画像データの未転送枚数、及び前記内部メモリに記録可能な画像データの残り枚数を表示する表示手段を更に備えたことを特徴とする請求項１０乃至１２のいずれかに記載のカメラシステム。
【請求項１４】
前記表示手段は、前記転送先の非接触ＩＣカードの有無及び画像データの転送の可否のうちの少なくとも一方を表示することを特徴とする請求項１３に記載のカメラシステム。
【発明の詳細な説明】
【技術分野】
【０００１】
本発明は非接触ＩＣカード、カメラ付き携帯装置、クレードル装置及びカメラシステムに係り、特にデジタルカメラ、カメラ付き携帯電話等で撮影した画像データを記録する技術に関する。
【背景技術】
【０００２】
従来のデジタルカメラ、カメラ付き携帯電話、カメラ付き携帯情報端末（ＰＤＡ）、カメラ付きパームパソコン等（以下、「カメラ付き携帯装置」ともいう）は、その装置専用の記録メディアしか装着できず、画像データを種々の記録メディアに記録することができなかった。その結果、例えば、種類の異なる記録メディアを使用するデジタルカメラに買い換えると、いままで使用していた記録メディアが無駄になるという問題があった。
【０００３】
また、カメラ付き携帯装置内に記録メディアを格納する場所を確保したり、コネクタを配置する必要があるため、装置の小型化の妨げになるという問題があった。
【０００４】
ところで、携帯電話機等の携帯端末に非接触ＩＣカードを装着して使用することが提案されている（特許文献１）。特許文献１に記載の携帯端末は、携帯端末のハウジングが非接触ＩＣカードと外部のリーダライタとの間の非接触通信の妨げにならないように、非接触ＩＣカードの一部（アンテナ）が露出する窓空き部をハウジングに設けることを特徴としている。
【０００５】
また、特許文献２には、携帯電話機等の携帯情報機器のバッテリーに、非接触ＩＣカードと無線通信して非接触ＩＣカードに登録された情報を読み取る読取装置を組み込んだ携帯情報機器が提案されている。
【０００６】
また、この種の非接触ＩＣカードとしては、例えば、ＪＲ東日本のSuica （スイカ）、ソニー株式会社が開発したFeliCa（フェリカ）、携帯電話に埋め込まれ電子マネーとして使用可能なものが知られている。
【特許文献１】特開２００２−３４２７２０号公報
【特許文献２】特開２００３−９９７３１号公報
【発明の開示】
【発明が解決しようとする課題】
【０００７】
特許文献１に記載の携帯端末に装着して使用される非接触ＩＣカードは、携帯電話の（番号、アドレス等の固有）情報が記録されるもので、画像データ等を記録する記録メディアとは異なる。また、特許文献２に記載の非接触ＩＣカードのメモリに登録されるデータは、ポイント情報などの登録データである。
【０００８】
即ち、従来の非接触ＩＣカードは、本人認証情報、加入者情報、プリペイド情報（電子貨幣）、購買履歴（ポイント）等の情報が読み書きされるもので、画像データのような大容量の情報を扱うものはなかった。
【０００９】
本発明はこのような事情に鑑みてなされたもので、カメラ付き携帯装置で撮影した画像データを非接触で格納することができる非接触ＩＣカード、及びその非接触ＩＣカードを利用することができるカメラ付き携帯装置、クレードル装置及びカメラシステムを提供することを目的とする。
【課題を解決するための手段】
【００１０】
前記目的を達成するために請求項１に係る非接触ＩＣカードは、非接触ＩＣカード用のＩＣチップと、前記ＩＣチップへの電力供給及びデータの読み書き用のアンテナと、画像データの記録が可能な大容量の内蔵メモリと、を備え、前記ＩＣチップは、外部機器から無線送信される画像データを前記アンテナを介して受信し、該画像データを前記内蔵メモリに記録するとともに、前記内蔵メモリに記録された画像データを前記アンテナを介して外部機器に無線送信することを特徴としている。
【００１１】
この非接触ＩＣカードは、非接触でデータ（画像データ）の読み書きができ、カメラ付き携帯装置内に収納する必要がないため、カード形状や取付装置に左右されず、カードリーダ／ライタ機能を有するカメラ付き携帯装置であれば、あらゆる種類の装置に共通に使用することができる。また、この非接触ＩＣカードを使用するカメラ付き携帯装置は、記録メディアを収納する場所やコネクタが不要であるため、小型化を図ることができる。
【００１２】
請求項２に示すように請求項１に記載の非接触ＩＣカードにおいて、前記ＩＣチップに電力を供給する充電可能なバッテリーと、前記アンテナを介して供給された電力に基づいて前記バッテリーを充電する充電手段とを更に備えたことを特徴としている。
【００１３】
この非接触ＩＣカードはバッテリーを備えるため、通信相手側は、通信中に非接触ＩＣカードに電磁波による電源供給を行わなくても良く、通信相手側の省電力化を図ることができる。また、非接触の通信距離も長くすることができる。
【００１４】
請求項３に係るカメラ付き携帯装置は、請求項１又は２に記載の非接触ＩＣカードが着脱自在に装着されるカード装着部であって、前記非接触ＩＣカードが略外装面上に配置されるように装着されるカード装着部と、前記カード装着部に装着された非接触ＩＣカードと無線通信して画像データの書き込み又は読み書きを行うカードライタ又はカードリーダ／ライタと、を備えたことを特徴としている。
【００１５】
前記カメラ付き携帯装置は、デジタルカメラ、カメラ付き携帯電話、カメラ付き携帯情報端末（ＰＤＡ）、カメラ付きパームパソコン等を含む。このカメラ付き携帯装置は、カード装着部によって前記非接触ＩＣカードを略外装面上に配置するようにしているため、装置内に内蔵する場合に比べて省スペース化を図ることができる。また、前記カード装着部に装着できない違う形状の非接触ＩＣカードであっても、カードライタ又はカードリーダ／ライタに近づけることで使用することができ、汎用性が高い。
【００１６】
請求項４に示すように請求項３に記載のカメラ付き携帯装置において、前記カード装着部に前記カードライタ又はカードリーダ／ライタの通信感度のよい箇所を示すマークが付されていることを特徴としている。前記カード装着部に装着できない違う形状の非接触ＩＣカードであっても、前記マークを目印にして近づけることにより良好に非接触で読み書きを行うことができる。
【００１７】
請求項５に示すように請求項３又は４に記載のカメラ付き携帯装置において、相互に折り畳み、スライド、又は回転するように連結された２つの外装体から構成されていることを特徴としている。これにより、カメラ付き携帯装置を小さくすることができ、携帯性が良くなる。
【００１８】
請求項６に係るクレードル装置は、請求項３乃至５のいずれかに記載のカメラ付き携帯装置が装着されるカメラ装着部であって、前記非接触ＩＣカードが装着面側となるように前記カメラ付き携帯装置が着脱自在に装着されるカメラ装着部と、前記装着されたカメラ付き携帯装置を充電する充電手段と、前記カメラ装着部に装着されたカメラ付き携帯装置の前記カード装着部に装着された非接触ＩＣカードと無線通信して画像データの読み込み又は読み書きを行うカードリーダ又はカードリーダ／ライタと、を備えたことを特徴としている。
【００１９】
即ち、このクレードル装置は、装着されたカメラ付き携帯装置を充電することができるとともに、カメラ付き携帯装置に装着された非接触ＩＣカードから非接触で画像データを読み取り、又は読み書きを行うことができる。また、前記カメラ付き携帯装置から直接画像データを読み込むこともできる。
【００２０】
請求項７に係るクレードル装置は、カメラ付き携帯装置が装着されるカメラ装着部と、前記カメラ装着部に装着されたカメラ付き携帯装置を充電する充電手段と、請求項１又は２に記載の非接触ＩＣカードが着脱自在に装着されるカード装着部と、前記カード装着部に装着された非接触ＩＣカードと無線通信して画像データの読み込み又は読み書きを行うカードリーダ又はカードリーダ／ライタと、を備えたことを特徴としている。尚、カード装着部は、非接触ＩＣカードを所定の位置に導く凹部なども含む。
【００２１】
即ち、このクレードル装置は、装着されたカメラ付き携帯装置を充電することができるとともに、カード装着部に装着された非接触ＩＣカードから画像データを読み取り、又は読み書きを行うことができる。尚、カード装着部に装着できない違う形状の非接触ＩＣカードでもクレードル装置に載せ、又は近接させることで、その非接触ＩＣカードから画像データを読み取り、又は読み書きを行うことができる。
【００２２】
請求項８に示すように請求項７に記載のクレードル装置において、前記カード装着部に前記カードリーダ又はカードリーダ／ライタの通信感度のよい箇所を示すマークが付されていることを特徴としている。前記カード装着部に装着できない違う形状の非接触ＩＣカードであっても、前記マークを目印にして近づけることにより良好に非接触で読み取り又は読み書きを行うことができる。
【００２３】
請求項９に示すように請求項６乃至８のいずれかに記載のクレードル装置において、画像データの記録が可能な大容量の内蔵メモリと、前記カードリーダ又はカードリーダ／ライタが読み込んだ画像データを前記内蔵メモリに記録する記録手段と、を更に備えたことを特徴としている。即ち、非接触ＩＣカードに記録された画像データをクレードル装置内の大容量の内蔵メモリに保存することができる。
【００２４】
請求項１０に係る発明は、請求項１又は２に記載の非接触ＩＣカードと、請求項３乃至５のいずれかに記載のカメラ付き携帯装置とからなるカメラシステムであって、前記カメラ付き携帯装置は、画像データを記憶保持する内部メモリと、前記画像データの転送先の非接触ＩＣカードを検知する検知手段と、前記検知手段によって転送先の非接触ＩＣカードが検知されたときのみ、前記内部メモリに記憶保持した画像データを前記非接触ＩＣカードに転送する制御手段と、を備えたことを特徴としている。
【００２５】
即ち、撮影時に画像データの転送先の非接触ＩＣカードが検知できない場合には、カメラ付き携帯装置の内部メモリに画像データを保持しておき、非接触ＩＣカードが検知されると、画像データを非接触ＩＣカードに転送する。尚、転送中に非接触ＩＣカードとの通信が途切れないように、音や表示で注意を促す手段をカメラ付き携帯装置に設けることが好ましい。
【００２６】
請求項１１に示すように請求項１０に記載のカメラシステムにおいて、前記制御手段は、前記検知手段によって転送先の非接触ＩＣカードが検知され、かつ該非接触ＩＣカードにメモリ残量があるときのみ、前記内部メモリに記憶保持した画像データを前記非接触ＩＣカードに転送することを特徴としている。
【００２７】
請求項１２に示すように請求項１０又は１１に記載のカメラシステムにおいて、前記制御手段は、前記画像データの転送終了後の前記内部メモリに記憶保持した画像データを消去することを特徴としている。
【００２８】
請求項１３に示すように請求項１０乃至１２のいずれかに記載のカメラシステムにおいて、前記内部メモリに記憶されている画像データの未転送枚数、及び前記内部メモリに記録可能な画像データの残り枚数を表示する表示手段を更に備えたことを特徴としている。
【００２９】
請求項１４に示すように請求項１３に記載のカメラシステムにおいて、前記表示手段は、前記転送先の非接触ＩＣカードの有無及び画像データの転送の可否のうちの少なくとも一方を表示することを特徴としている。
【発明の効果】
【００３０】
本発明によれば、カメラ付き携帯装置で撮影した画像データを非接触で非接触ＩＣカードに格納することができ、これにより装置側にメディア収納部やコネクタが不要となり、省スペース化を図ることができる。また、非接触ＩＣカードは、記録メディアのようにコネクタや外形形状等に依存せずに使用できるため、汎用性が高いという利点がある。
【発明を実施するための最良の形態】
【００３１】
以下添付図面に従って本発明に係る非接触ＩＣカード、カメラ付き携帯装置、クレードル装置及びカメラシステムの好ましい実施の形態について詳説する。
［カメラシステムの全体構成］
図１は本発明に係るカメラシステムの全体構成を示す外観斜視図である。
【００３２】
このカメラシステムは、カメラ付き携帯装置（図１では、カメラ付き携帯電話）１０と、非接触ＩＣカード１００とから構成されている。
【００３３】
カメラ付き携帯電話１０は、２つの外装体１２、１４がヒンジ部１６によって回動自在に連結されており、これにより折り畳み可能になっている。尚、外装体１２、１４はヒンジ部１６で折り畳み可能に連結する場合に限らず、スライド式や回転式に連結してもよい。
【００３４】
外装体１２側には、カメラ部１８、携帯電話の基地局と通信するためのアンテナ２０、モニタ類が設けられ、外装体１４側には図示しないテンキー等の操作部、バッテリー、及び本発明に係るカードリーダ／ライタ２２等が設けられている。
【００３５】
また、外装体１４には、カード装着部２４が設けられている。このカード装着部２４には、例えば、非接触ＩＣカード１００をスライド式に案内するガイド溝２４Ａが形成されており、非接触ＩＣカード１００は、ガイド溝２４Ａに沿って着脱自在に装着される。これにより、カード装着部２４に装着された非接触ＩＣカード１００は、カメラ付き携帯電話１０の略外装面上に配置される。
【００３６】
カードリーダ／ライタ２２は、カード装着部２４に装着された非接触ＩＣカード１００と無線通信して（非接触で）画像データを含む種々のデータの読み書きを行うもので、非接触ＩＣカード１００に電力を供給するとともに、非接触ＩＣカード１００にデータ（画像データ等）を読み書きするためのアンテナ等も有している。
【００３７】
また、カード装着部２４には、カードリーダ／ライタ２２の通信感度のよい箇所を示すマーク２６が付されている。カード装着部２４に非接触ＩＣカード１００を装着しない場合、又は違う形状のために装着できない場合でも、マーク２６を目印にして非接触ＩＣカードを近づけることにより非接触で良好に通信することができる。
［デジタルカメラの全体構成］
図２は本発明に係るカメラ付き携帯装置の全体構成を示すブロック図である。
【００３８】
図２に示すカメラ付き携帯装置１０’は、デジタルカメラであり、図１に示したカメラ付き携帯電話１０と同様に、非接触ＩＣカード１００が装着されるカード装着部、及びカードリーダ／ライタ２２が設けられている。
【００３９】
このデジタカメラ１０’は、静止画や動画の記録及び再生機能を備えたデジタルカメラであり、デジタルカメラ１０’全体の動作は中央処理装置（ＣＰＵ）３０によって統括制御される。ＣＰＵ３０は、所定のプログラムに従って本カメラシステムを制御する制御手段として機能するとともに、自動露出（ＡＥ）演算、自動焦点調節（ＡＦ）演算、ホワイトバランス（ＷＢ）調整演算など、各種演算を実施する演算手段として機能する。
【００４０】
バス３２を介してＣＰＵ３０と接続されたＲＯＭ３４には、ＣＰＵ３０が実行するプログラム及び制御に必要な各種データ等が格納され、ＥＥＰＲＯＭ３６には、ＣＣＤ画素欠陥情報、カメラ動作に関する各種定数／情報等が格納されている。
【００４１】
また、メモリ（ＳＤＲＡＭ）３８は、プログラムの展開領域及びＣＰＵ３０の演算作業用領域として利用されるとともに、画像データや音声データの一時記憶領域として利用される。ＶＲＡＭ４０は画像データ専用の一時記憶メモリであり、Ａ領域４０ＡとＢ領域４０Ｂが含まれている。メモリ３８とＶＲＡＭ４０は共用することが可能である。
【００４２】
デジタルカメラ１０’にはモード選択スイッチ４２、撮影ボタン４４、その他、メニュー／ＯＫキー、十字キー、キャンセルキーなどの操作手段４６が設けられている。これら各種の操作部（４２〜４６）からの信号はＣＰＵ３０に入力され、ＣＰＵ３０は入力信号に基づいてデジタルカメラ１０’の各回路を制御し、例えば、レンズ駆動制御、撮影動作制御、画像処理制御、画像データの記録／再生制御、画像表示装置４８の表示制御などを行う。
【００４３】
モード選択スイッチ４２は、撮影モードと再生モードとを切り換えるための操作手段である。モード選択スイッチ４２を操作して可動接片４２Ａを接点ａに接続させると、その信号がＣＰＵ３０に入力され、デジタルカメラ１０’は撮影モードに設定され、可動接片４２Ａを接点ｂに接続させると、デジタルカメラ１０’は記録済みの画像を再生する再生モードに設定される。
【００４４】
撮影ボタン４４は、撮影開始の指示を入力する操作ボタンであり、半押し時にＯＮするＳ１スイッチと、全押し時にＯＮするＳ２スイッチとを有する二段ストローク式のスイッチで構成されている。
【００４５】
画像表示装置４８は、カラー表示可能な液晶ディスプレイで構成されている。画像表示装置４８は、撮影時に画角確認用の電子ファインダとして使用できるとともに、記録済み画像を再生表示する手段として利用される。また、画像表示装置４８は、ユーザインターフェース用表示画面としても利用され、必要に応じてメニュー情報や選択項目、設定内容などの情報が表示される。
【００４６】
次に、デジタルカメラ１０’の撮影機能について説明する。
【００４７】
モード選択スイッチ４２によって撮影モードが選択されると、カラーＣＣＤ固体撮像素子（以下ＣＣＤと記載）５０を含む撮像部に電源が供給され、撮影可能な状態になる。
【００４８】
レンズユニット６０は、フォーカスレンズを含む撮影レンズ６２と絞り兼用メカシャッター６４とを含む光学ユニットである。レンズユニット６０は、ＣＰＵ３０によって制御されるレンズ駆動部６６、絞り駆動部６８によって電動駆動され、ズーム制御、フォーカス制御及びアイリス制御が行われる。
【００４９】
レンズユニット６０を通過した光は、ＣＣＤ５０の受光面に結像される。ＣＣＤ５０の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造（ベイヤー、Ｇストライプなど）で配置されている。また、ＣＣＤ５０は、各フォトダイオードの電荷蓄積時間（シャッタースピード）を制御する電子シャッター機能を有している。ＣＰＵ３０は、タイミングジェネレータ７０を介してＣＣＤ５０での電荷蓄積時間を制御する。尚、ＣＣＤ５０に代えてＭＯＳ型など他の方式の撮像素子を用いてもよい。
【００５０】
ＣＣＤ５０の受光面に結像された被写体像は、各フォトダイオードによって入射光量に応じた量の信号電荷に変換される。各フォトダイオードに蓄積された信号電荷は、ＣＰＵ３０の指令に従いタイミングジェネレータ７０から与えられる駆動パルスに基づいて信号電荷に応じた電圧信号（画像信号）として順次読み出される。
【００５１】
ＣＣＤ５０から出力された信号はアナログ処理部（ＣＤＳ／ＡＭＰ）７２に送られ、ここで画素ごとのＲ，Ｇ，Ｂ信号がサンプリングホールド（相関二重サンプリング処理）され、増幅された後、Ａ／Ｄ変換器７４に加えられる。Ａ／Ｄ変換器７４によってデジタル信号に変換された点順次のＲ，Ｇ，Ｂ信号は、画像入力コントローラ７６を介してメモリ３８に記憶される。
【００５２】
画像信号処理回路７８は、メモリ３８に記憶されたＲ，Ｇ，Ｂ信号をＣＰＵ３０の指令に従って処理する。即ち、画像信号処理回路７８は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ３０からのコマンドに従ってメモリ３８を活用しながら所定の信号処理を行う。
【００５３】
画像信号処理回路７８に入力されたＲＧＢの画像データは、画像信号処理回路７８において輝度信号（Ｙ信号）及び色差信号（Ｃr,Ｃb 信号）に変換されるとともに、ガンマ補正等の所定の処理が施される。画像信号処理回路７８で処理された画像データはＶＲＡＭ４０に格納される。
【００５４】
撮影画像を画像表示装置４８にモニタ出力する場合、ＶＲＡＭ４０から画像データが読み出され、バス３２を介してビデオエンコーダ８０に送られる。ビデオエンコーダ８０は、入力された画像データを表示用の所定方式の信号（例えば、ＮＴＳＣ方式のカラー複合映像信号）に変換して画像表示装置４８に出力する。
【００５５】
ＣＣＤ５０から出力される画像信号によって、１コマ分の画像を表す画像データがＶＲＡＭ４０のＡ領域４０ＡとＢ領域４０Ｂとで交互に書き換えられる。ＶＲＡＭ４０のＡ領域４０Ａ及びＢ領域４０Ｂのうち、画像データが書き換えられている方の領域以外の領域から、書き込まれている画像データが読み出される。このようにしてＶＲＡＭ４０内の画像データが定期的に書き換えられ、その画像データから生成される映像信号が画像表示装置４８に供給されることにより、撮像中の映像がリアルタイムに画像表示装置４８に表示される。撮影者は、画像表示装置４８に表示される映像（スルームービー画）によって撮影画角を確認できる。
【００５６】
撮影ボタン４４が半押しされ、Ｓ１がオンすると、デジタルカメラ１０’はＡＥ及びＡＦ処理を開始する。即ち、ＣＣＤ５０から出力された画像信号はＡ／Ｄ変換後に画像入力コントローラ７６を介してＡＦ検出回路８２並びにＡＥ／ＡＷＢ検出回路８４に入力される。
【００５７】
ＡＥ／ＡＷＢ検出回路８４は、１画面を複数のエリア（例えば、１６×１６）に分割し、分割エリアごとにＲＧＢ信号を積算する回路を含み、その積算値をＣＰＵ３０に提供する。ＣＰＵ３０は、ＡＥ／ＡＷＢ検出回路８４から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ３０はＣＣＤ５０の電子シャッター及びアイリスを制御して適正な露光量を得る。
【００５８】
また、ＡＥ／ＡＷＢ検出回路８４は、自動ホワイトバランス調整時には、分割エリアごとにＲＧＢ信号の色別の平均積算値を算出し、その算出結果をＣＰＵ３０に提供する。ＣＰＵ３０は、Ｒの積算値、Ｂの積算値、Ｇの積算値を得て、各分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１（つまり、１画面においてＲＧＢの積算比率がＲ：Ｇ：Ｂ≒１：１：１）になるように、ホワイトバランス調整回路のＲ，Ｇ，Ｂ信号に対するゲイン値（ホワイトバランス補正値）を制御し、各色チャンネルの信号に補正をかける。
【００５９】
本デジタルカメラ１０’におけるＡＦ制御は、例えば映像信号のＧ信号の高周波成分が極大になるようにフォーカシングレンズ（撮影レンズ６２を構成するレンズ光学系のうちフォーカス調整に寄与する移動レンズ）を移動させるコントラストＡＦが適用される。即ち、ＡＦ検出回路８２は、Ｇ信号の高周波成分のみを通過させるハイパスフィルタ、絶対値化処理部、画面内（例えば、画面中央部）に予め設定されているフォーカス対象エリア内の信号を切り出すＡＦエリア抽出部、及びＡＦエリア内の絶対値データを積算する積算部から構成される。
【００６０】
ＡＦ検出回路８２で求めた積算値のデータはＣＰＵ３０に通知される。ＣＰＵ３０は、レンズ駆動部６６を制御してフォーカシングレンズを移動させながら、複数のＡＦ検出ポイントで焦点評価値（ＡＦ評価値）を演算し、評価値が極大となるレンズ位置を合焦位置として決定する。そして、求めた合焦位置にフォーカシングレンズを移動させるようにレンズ駆動部６６を制御する。尚、ＡＦ評価値の演算はＧ信号を利用する態様に限らず、輝度信号（Ｙ信号）を利用してもよい。
【００６１】
撮影ボタン４４が半押しされ、Ｓ１オンによってＡＥ／ＡＦ処理が行われ、撮影ボタン４４が全押しされ、Ｓ２オンによって記録用の撮影動作がスタートする。Ｓ２オンに応動して取得された画像データは画像信号処理回路７８において輝度／色差信号（Ｙ／Ｃ信号）に変換され、ガンマ補正等の所定の処理が施された後、メモリ３８に格納される。
【００６２】
メモリ３８に格納されたＹ／Ｃ信号は、圧縮伸張回路８６によって所定のフォーマットに従って圧縮された後、カードリーダ／ライタ２２を介して非接触ＩＣカード１００に記録される。例えば、静止画についてはJPEG（Joint Photographic Experts Group）形式で記録される。
【００６３】
モード選択スイッチ４２により再生モードが選択されると、非接触ＩＣカード１００に記録されている最終の画像ファイル（最後に記録されたファイル）の圧縮データが読み出される。最後の記録に係るファイルが静止画ファイルの場合、この読み出された画像圧縮データは、圧縮伸張回路８６を介して非圧縮のＹＣ信号に伸張され、画像信号処理回路７８及びビデオエンコーダ８０を介して表示用の信号に変換された後、画像表示装置４８に出力される。これにより、当該ファイルの画像内容が画像表示装置４８の画面上に表示される。
【００６４】
静止画の一コマ再生中（動画の先頭フレーム再生中も含む）に、十字キーの右キー又は左キーを操作することによって、再生対象のファイルを切り換えること（順コマ送り／逆コマ送り）ができる。コマ送りされた位置の画像ファイルが非接触ＩＣカード１００から読み出され、上記と同様にして静止画像や動画が画像表示装置４８に再生表示される。
［非接触ＩＣカード］
＜第１の実施の形態＞
図３は本発明に係る非接触ＩＣカードの第１の実施の形態を示す模式図であり、図４はそのブロック図である。
【００６５】
図３に示すように、この非接触ＩＣカード１００は、非接触ＩＣカード用のＩＣチップ１１０と、このＩＣチップ１１０への電力供給及びデータの読み書き用のアンテナ（アンテナコイル）１２０と、複数枚の画像データやそれ以外のデータ（テキストデータ等）の記録が可能な大容量の内蔵メモリ（フラッシュメモリ）１３０とが、プラスチック製のカード内に封入されて構成されている。
【００６６】
図４に示すように、ＩＣチップ１１０は、ＣＰＵ（中央処理装置）１１１、ＲＯＭ（読出し専用メモリ）１１２、ＲＡＭ（随時書込み読出しメモリ）１１３、電源回路１１４、インターフェース１１５、及びコプロセッサ１１６から構成されており、電力供給及びデータの読み書き用のアンテナ１２０、及び内蔵メモリ１３０と接続されている。
【００６７】
ＣＰＵ１１１は、各部を統括制御する処理部であり、ＲＯＭ１１２はＣＰＵ１１１の動作に必要な制御プログラム、ＩＣチップのシリアル番号、製造メーカ情報、メモリ容量等のＩＣチップ情報（ＩＤ情報）を格納し、ＲＡＭ１１３は一時的データの読み書きが行われ、プログラム実行時の作業領域として機能する。
【００６８】
内蔵メモリ１３０は、主にデータ（画像データ等）を格納するために使用される不揮発性メモリである。尚、ＩＣチップ１１０と内蔵メモリ１３０とは、一体化したものでもよい。
【００６９】
電源回路１１４はアンテナ１２０からの誘導起電力を平滑化して電力を発生し、各部の回路に供給する。インターフェース１１５は、外部との通信制御を実施してデータの交換を行う。コプロセッサ１１６は主に暗号演算処理を行うもので、ＣＰＵ１１１を補助する。尚、コプロセッサ付きのＣＰＵを使用してもよい。
【００７０】
上記構成のＩＣチップ１１０は、アンテナ１２０をカードリーダ／ライタ２２のアンテナに近づけることにより、該カードリーダ／ライタ２２との間で非接触で画像データの読み書きを行うことができる。尚、通信距離としては、交信距離が３ｍｍ以下の密着型や、短波を使った交信距離が１０ｃｍ以下の近接型などがある。
＜第２の実施の形態＞
図５は本発明に係る非接触ＩＣカードの第２の実施の形態を示す模式図であり、図６はそのブロック図である。尚、図５及び図６において、図３及び図４に示した第１の実施の形態と共通する部分には同一の符号を付し、その詳細な説明は省略する。
【００７１】
図５及び図６に示すように、第２の実施の形態の非接触ＩＣカード１００’は、第１の実施の形態の非接触ＩＣカード１００と比較して、充電回路１４０及びバッテリー１５０を更に備えている点で相違する。
【００７２】
即ち、第１の実施の形態の非接触ＩＣカード１００は、電磁誘導波を利用した無電源方式のものであり、第２の実施の形態の非接触ＩＣカード１００’は、内蔵するバッテリー１５０によって動作するバッテリー内蔵式のものである。
【００７３】
充電回路１４０は、アンテナ１２からの誘導起電力に基づいてバッテリー１５０を充電するための所要の電圧を生成し、バッテリー１５０に供給する。尚、充電回路１４０は、電源回路１１４から電力の供給を受け、これを昇圧してバッテリー１５０に供給するようにしてもよい。
【００７４】
バッテリー１５０は、例えば、充電可能なシート状電池であり、充電回路１４０から供給される電力によって充電される。尚、充電回路１４０は、ＣＰＵ１１１からの充電開始指令、充電終了指令等に基づいて制御される。また、充電されたバッテリー１５０の電力は、ＩＣチップ１１０の各部に供給される。
【００７５】
バッテリー内蔵式の非接触ＩＣカード１００’は、無電源方式のものに比べて通信距離を長くすることができる。また、カードリーダ／ライタ側では、電力発生用の電池誘導波を発生する必要がないため、カードリーダ／ライタ側の機器の省電力化を図ることができる。
【００７６】
尚、バッテリー内蔵式の非接触ＩＣカード１００’は、バッテリーの交換が不要な充電式としたが、バッテリー交換式としてもよい。この場合、ボタン電池等を使用する必要があるため、カードの厚みが厚くなる。
＜第３の実施の形態＞
図７は本発明に係る非接触ＩＣカードの第３の実施の形態を示す平面図であり、特にカメラ付き携帯電話等の機器に容易に取り付けるための取付構造に関して示している。
【００７７】
同図に示す非接触ＩＣカード１０２は、カード周囲に板状の磁石１０４が配置されている。尚、カード内に設けられているアンテナは、磁石１０４を避けた位置に配置されている。
【００７８】
一方、この非接触ＩＣカード１０２を外部メモリとして使用するカメラ付き携帯電話等の機器におけるカード取付部（磁石１０４に対応する部分）には、磁石１０４の着きやすい部材を配置する。尚、カード取付部の磁石１０４に対応しない部分には、カードリーダ／ライタによる無線通信を阻害しない材料で構成する。
【００７９】
上記構成の非接触ＩＣカード１０２は、カメラ付き携帯電話等のカード取付部に磁石１０４によって容易に着脱することができる。
＜第４の実施の形態＞
図８は本発明に係る非接触ＩＣカードの第４の実施の形態を示す図であり、特にカメラ付き携帯電話等の機器に容易に取り付けるための他の取付構造に関して示している。
【００８０】
図８（Ａ）は非接触ＩＣカード１０６の平面図であり、同図（Ｂ）は非接触ＩＣカード１０６の正面図である。
【００８１】
この非接触ＩＣカード１０６は、図８（Ｂ）に示すように機器への取付面側に着脱性能をもった粘着剤（例えば、粘着シリコンシート）１０８が配置されており、また、カードを折り曲げ可能にする切込み部１０９が３箇所設けられている。
【００８２】
上記構成の非接触ＩＣカード１０６は、カメラ付き携帯電話等のカード取付部（略平坦な取付面）に粘着剤１０８によって容易に着脱することができる。また、切込み部１０９によってカードが折り曲げ可能になっているため、非接触ＩＣカード１０６を徐々に貼り付け、又は徐々に剥がすことができる。
【００８３】
尚、この非接触ＩＣカード１０６は、切込み部１０９等によって折り曲げ可能になっているが、折り曲げ不能な構造のものでもよい。
［クレードル装置］
図９は本発明に係るクレードル装置の実施の形態を示す斜視図である。  
【００８４】
同図に示すクレードル装置２００は、図１に示したカメラ付き携帯電話１０の充電機能や、非接触ＩＣカード１００のカードリーダ／ライタとして機能するものであり、カメラ付き携帯電話１０が装着されるカメラ装着部２１０と、非接触ＩＣカード１００が装着されるカード装着部２２０と、各種スイッチからなる操作部２３０と、発光ダイオード等の点灯ランプや液晶モニタ等の表示部２３１と、ＵＳＢコネクタ、ＡＶ出力端子等のコネクタ２４０と、図示しないカードリーダ／ライタ及び充電手段とを備えている。
【００８５】
カメラ装着部２１０には、カメラ付き携帯電話１０のカード装着部２４（図１参照）側が装着面側となるようにカメラ付き携帯電話１０が着脱自在に装着される。また、カメラ付き携帯電話１０がカメラ装着部２１０に正しく装着されると、カメラ付き携帯電話１０側の充電用の電源入力端子２８が、クレードル装置２００側の充電用の電源出力端子（図示せず）に接続される。
【００８６】
カード装着部２２０には、例えば、非接触ＩＣカード１００をスライド式に案内するガイド溝２２０Ａが形成されており、非接触ＩＣカード１００は、ガイド溝２２０Ａに沿って着脱自在に装着される。また、カード装着部２２０には、カードリーダ／ライタの通信感度のよい箇所を示すマーク２２２が付されている。
【００８７】
このクレードル装置２００は、非接触ＩＣカード１００が装着されたカメラ付き携帯電話１０がカメラ装着部２１０に装着された場合には、その非接触ＩＣカード１００と非接触で画像データの読み書きを行うことができ、また、カード装着部２２０に非接触ＩＣカード１００が装着された場合には、その非接触ＩＣカード１００と非接触で画像データの読み書きを行うことができるようになっている。
【００８８】
更に、非接触ＩＣカードが違う形状のためにカード装着部２２０等に装着できない場合でも、非接触ＩＣカードをカメラ装着部２１０又はカード装着部２２０上に載置又は近接することで、その非接触ＩＣカードと非接触で画像データの読み書きを行うこともできる。この場合、マーク２２２を目印にして非接触ＩＣカードを載置することにより良好に通信することができる。
【００８９】
図１０は上記クレードル装置２００の内部構成の実施の形態を示すブロック図である。
【００９０】
同図に示すように、クレードル装置２００は、主として操作部２３０、表示部２３１、ＵＳＢインターフェース２４２、充電回路２５０、カードリーダ／ライタ２６０、ＣＰＵ２７０、ＲＯＭ２８０、及びＲＡＭ２９０から構成されている。
【００９１】
操作部２３０は、ＣＰＵ２７０に非接触ＩＣカード１００からの画像データの読み取りや書き込みの指示を行うとともに、画像の再生、コマ送り、消去等の指示を行う。ＣＰＵ２７０は、クレードル装置２００全体の動作を統括制御するもので、所定のプログラムに従って画像データの読み書き、消去、転送や、充電等を制御する制御手段として機能する。
【００９２】
バス２５４を介してＣＰＵ２７０と接続されたＲＯＭ２８０には、ＣＰＵ２７０が実行するプログラム及び制御に必要な各種データ等が格納されている。また、ＲＡＭ２９０は、プログラムの展開領域及びＣＰＵ２７０の演算作業用領域として利用されるとともに、画像データの一時記憶領域として利用される。
【００９３】
充電回路２５０は、商用電源又はＡＣアダプタから直流電源を入力し、これをカメラ付き携帯電話１０のバッテリーを充電するための所定の直流電圧に変換して電源出力端子２５２に出力する。従って、カメラ装着部２１０にカメラ付き携帯電話１０が装着され、カメラ付き携帯電話１０の電源入力端子２８が電源出力端子２５２に接続されると、カメラ付き携帯電話１０のバッテリーが充電される。
【００９４】
尚、この実施の形態では、電源出力端子２５２から直流電圧に供給してカメラ付き携帯電話１０のバッテリーを充電するようにしているが、これに限らず、カメラ付き携帯電話のバッテリーが電磁誘導で充電される構成の場合には、クレードル装置側の充電手段は、１次コイルを含み、その１次コイルからカメラ付き携帯電話側の２次コイルに誘導起電力を発生させるものとして構成する。
【００９５】
カードリーダ／ライタ２６０は、非接触ＩＣカード１００と無線通信して画像データの読み込み又は読み書きを非接触で行う。尚、読み取った画像データは、ＲＡＭ２９０に一時保持される。また、ＲＡＭ２９０には、非接触ＩＣカード１００に書き込む画像データが一時保持される。
【００９６】
そして、ＲＡＭ２９０に保持された画像データは、ＵＳＢインターフェース２４２を介してパソコンやハードディスクを備えた大容量記録装置に転送される。尚、クレードル装置２００内に大容量記録装置を備え、ここに画像データを保存するようにしてもよい。
【００９７】
また、図５に示した非接触ＩＣカード１００’と無線通信して画像データの読み書き等を行う場合には、これと同時に又は読み書き終了後に非接触ＩＣカード１００’のバッテリー１５０の充電を行うようにしてもよい。
【００９８】
更に、クレードル装置２００に、非接触ＩＣカード１００が装着されていないカメラ付き携帯電話１０が装着され、かつカメラ付き携帯電話１０の内部メモリに画像データが保持されている場合には、カメラ付き携帯電話１０のカードリーダ／ライタ２２と無線通信を行ってカメラ付き携帯電話１０の内部メモリから直接画像データを読み取るようにしてもよい。
［カメラ付き携帯電話と非接触ＩＣカードとの間の通信］
図１１はカメラ付き携帯電話１０と非接触ＩＣカード１００との間の通信シーケンスを示す図である。
【００９９】
カメラ付き携帯電話１０（以下、単に「カメラ」という）は、サーチコードを送信して非接触ＩＣカード１００（以下、単に「外部メモリ」という）のサーチを行う。外部メモリは、サーチコードを受信すると、外部メモリのＩＤ情報とともに、メモリ残量等を返信する。バッテリーを有する外部メモリの場合には、バッテリー残量も返信する。
【０１００】
カメラ側は、外部メモリのＩＤ情報及びメモリ残量等の返信を受信すると、受信したＩＤ情報とともに、画像データを転送し、画像データの転送が終了すると、転送終了コードを送信する。
【０１０１】
外部メモリ側は、自分のＩＤ情報を認識すると、そのＩＤ情報とともに転送されてくる画像データを記録し、転送終了コードを受信すると、正常に受信できたかどうかを示す応答信号を返信する。
【０１０２】
カメラ側は、受信した応答信号により画像データの転送が正常に行われたか否かを判断する。
［カメラシステムの撮影から記録までの流れ］
図１２は本発明に係るカメラシステムにおける撮影から記録までの流れを示すフローチャートである。
【０１０３】
図２に示したデジタルカメラ１０’において、モード選択スイッチ４２により撮影モードが選択されているか、再生モードが選択されているかを判別する（ステップＳ１０）。撮影モードが選択されている場合には、カメラのモードを撮影モードに設定し（ステップＳ１２）、後述する撮影処理を行う。一方、再生モードが選択されている場合には、カメラのモードを再生モードに設定し（ステップＳ１４）、１コマ送り、１コマ戻し等の再生指示に基づいて通常の再生処理を行う（ステップＳ１６）。
【０１０４】
撮影モードに設定されると、撮影ボタン４４によりレリーズＯＮされたか否かを判別し（ステップＳ１８）、レリーズＯＮされると、撮影を行う（ステップＳ２０）。この撮影時に取得した画像データ（圧縮された画像ファイル）は、一旦、ＥＥＰＲＯＭ３６、又は図示しないフラッシュメモリ（以下、「内部メモリ」という）に記録される（ステップＳ２２）。
【０１０５】
このとき、図１３に示すように画像表示装置４８の画面には、内部メモリに記録可能な残り枚数や、内部メモリに残っている画像の枚数（未転送送枚数）が表示される。図１３に示す例では、残り枚数として、３メガ（Ｍ）の画像を５枚記録することができることが表示され、また、１枚の未転送枚数があることが表示されている。更に、この表示は、例えば、レリーズＯＮ時又は撮影モード切り換え時に一定時間行われる。
【０１０６】
次に、図１１で説明したように非接触ＩＣカード１００（外部メモリ）のサーチを行う（ステップＳ２４）。この外部メモリのサーチは、撮影後、一定時間（約２分）行い、一定時間内に外部メモリが見つかったか否かを判別する（ステップＳ２６）。外部メモリが見つからない場合には、外部メモリのサーチを止め、外部メモリがない旨のメッセージを画像表示装置４８の画面に表示する（ステップＳ２８）。
【０１０７】
一方、外部メモリが見つかった場合には、外部メモリと無線通信を行い、外部メモリからＩＤ情報やメモリ残量などの必要な情報を取得し、外部メモリの残容量をチェックする（ステップＳ３０、Ｓ３２）。
【０１０８】
続いて、外部メモリの残容量から画像データの送信が可能か否かを判別する（ステップＳ３４）。送信不可の場合には、外部メモリの残容量がない等の送信不可メッセージを画像表示装置４８の画面に表示する（ステップＳ３６）。
【０１０９】
送信可能な場合には、内部メモリに格納されている画像ファイルをカードリーダ／ライタ２２を介して外部メモリに送信し、外部メモリに記録する（ステップＳ３８、Ｓ４０）。
【０１１０】
その後、画像ファイルの外部メモリへの記録が正常に完了すると、内部メモリの画像ファイルを消去する（ステップＳ４２）。
【０１１１】
尚、外部メモリが無い場合や、外部メモリの残容量が無いために外部メモリに転送できずに内部メモリに記録保持された画像ファイルの転送は、装置の電源ＯＮ時や転送指示の入力時、あるいは次に撮影で取得した画像ファイルの転送時に行われる。
【図面の簡単な説明】
【０１１２】
【図１】図１は本発明に係るカメラシステムの全体構成を示す外観斜視図である。
【図２】図２は本発明に係るカメラ付き携帯装置の全体構成を示すブロック図である。
【図３】図３は本発明に係る非接触ＩＣカードの第１の実施の形態を示す模式図である。
【図４】図４は本発明に係る非接触ＩＣカードの第１の実施の形態を示すブロック図である。
【図５】図５は本発明に係る非接触ＩＣカードの第２の実施の形態を示す模式図である。
【図６】図６は本発明に係る非接触ＩＣカードの第２の実施の形態を示すブロック図である。
【図７】図７は本発明に係る非接触ＩＣカードの第３の実施の形態を示す平面図である。
【図８】図８は本発明に係る非接触ＩＣカードの第４の実施の形態を示す図である。
【図９】図９は本発明に係るクレードル装置の実施の形態を示す斜視図である。
【図１０】図１０は上記クレードル装置の内部構成の実施の形態を示すブロック図である。
【図１１】図１１はカメラ付き携帯電話と非接触ＩＣカードとの間の通信シーケンスを示す図である。
【図１２】図１２は本発明に係るカメラシステムにおける撮影から記録までの流れを示すフローチャートである。
【図１３】図１３は画像表示装置の画面に表示される情報の一例を示す図である。
【符号の説明】
【０１１３】
１０…カメラ付き携帯装置、（カメラ付き携帯電話）、１０’…カメラ付き携帯装置（デジタルカメラ）、１２、１４…外装体、１６…ヒンジ部、１８…カメラ部、２２、２６０…カードリーダ／ライタ、２４、２２０…カード装着部、２６、２２２…マーク、３０、１１１、２７０…ＣＰＵ、１００、１００’、１０２、１０６…非接触ＩＣカード、１０４…磁石、１０８…粘着剤、１１０…ＩＣチップ、１２０…アンテナ、１３０…内蔵メモリ（フラッシュメモリ）、１４０、２５０…充電回路、１５０…バッテリー、２００…クレードル装置、２１０…カメラ装着部
【図１】
2007079845.tif 000003
【図２】
2007079845.tif 000004
【図３】
2007079845.tif 000005
【図４】
2007079845.tif 000006
【図５】
2007079845.tif 000007
【図６】
2007079845.tif 000008
【図７】
2007079845.tif 000009
【図８】
2007079845.tif 000010
【図９】
2007079845.tif 000011
【図１０】
2007079845.tif 000012
【図１１】
2007079845.tif 000013
【図１２】
2007079845.tif 000014
【図１３】
2007079845.tif 000015